(57)【要約】      （修正有）【課題】運転席の前方で行う側溝掘作業時でもライトが溝の中に届き、作業性のよい超小型旋回型作業車を提供する。【解決手段】作業スペースを照らすライト２３を運転席６上方に位置するキャノピー１５に取り付け、該キャノピー１５の天井面１５ｂはライト取付部１５ｃが他部よりも高位置となるように形成し、該ライト２３は照射方向を上下左右に調節可能に構成した。【選択図】図２
2006322315.tif 000002
【特許請求の範囲】
【請求項１】
走行装置上部に旋回可能に取り付けた旋回台と、該旋回台に上下回動自在に取り付けられた第一ブームと、該第一ブームの先端部に左右方向へ回動自在に取り付けられた第二ブームと、該第二ブームに左右方向へ回動可能に取り付けられた第三ブームと、該第三ブームに上下方向に回動可能に取り付けられたアームと、該アームの先端に上下回動可能に取り付けられた作業用アタッチメントとを有し、該第二ブームの左右方向への回動により作業用アタッチメントを左右方向へオフセット可能に構成した超小旋回型作業車において、作業スペースを照らすライトを運転席上方に位置するキャノピーに取り付け、該キャノピーの天井面はライト取付部が他部よりも高位置となるように形成し、該ライトは照射方向を上下左右に調節可能に構成したことを特徴とする超小旋回型作業車。
【発明の詳細な説明】
【技術分野】
【０００１】
本発明は、超小旋回型作業車であって、作業効率を向上するように構成した超小旋回型作業車に関する。
【背景技術】
【０００２】
従来から、夜間や暗い場所等で作業を行う際に作業スペースを照らすライトが設けられており、このライトは作業機のブーム等に固設されていた。
【特許文献１】特開平５−１６２５８３号公報
【特許文献２】実開昭５４−１８１１号公報
【発明の開示】
【発明が解決しようとする課題】
【０００３】
しかし、ブームに固設されたライトは、運転席の側方に位置するとともに、照射方向の調節ができないため、例えば、運転席の前方で行う側溝掘作業時には、ライトの光が溝の中へ届かず、実際に作業を行っている溝の底部の視界が悪くて作業性が低下していた。
【課題を解決するための手段】
【０００４】
本発明の解決しようとする課題は以上の如くであり、次に該課題を解決する為の手段を説明する。
走行装置上部に旋回可能に取り付けた旋回台と、該旋回台に上下回動自在に取り付けられた第一ブームと、該第一ブームの先端部に左右方向へ回動自在に取り付けられた第二ブームと、該第二ブームに左右方向へ回動可能に取り付けられた第三ブームと、該第三ブームに上下方向に回動可能に取り付けられたアームと、該アームの先端に上下回動可能に取り付けられた作業用アタッチメントとを有し、該第二ブームの左右方向への回動により作業用アタッチメントを左右方向へオフセット可能に構成した超小旋回型作業車において、作業スペースを照らすライトを運転席上方に位置するキャノピーに取り付け、該キャノピーの天井面はライト取付部が他部よりも高位置となるように形成し、該ライトは照射方向を上下左右に調節可能に構成したものである。
【発明の効果】
【０００５】
本発明は以上の如く構成したので、次のような効果を奏するのである。
走行装置上部に旋回可能に取り付けた旋回台と、該旋回台に上下回動自在に取り付けられた第一ブームと、該第一ブームの先端部に左右方向へ回動自在に取り付けられた第二ブームと、該第二ブームに左右方向へ回動可能に取り付けられた第三ブームと、該第三ブームに上下方向に回動可能に取り付けられたアームと、該アームの先端に上下回動可能に取り付けられた作業用アタッチメントとを有し、該第二ブームの左右方向への回動により作業用アタッチメントを左右方向へオフセット可能に構成した超小旋回型作業車において、作業スペースを照らすライトを運転席上方に位置するキャノピーに取り付け、該キャノピーの天井面はライト取付部が他部よりも高位置となるように形成し、該ライトは照射方向を上下左右に調節可能に構成したので、運転席の前方での側溝掘作業を行う際にも溝の底部までライトにより照らすことができ、側溝掘作業の作業効率を向上することができた。
また、ライトが天井面よりもあまり下方に突出することがなく、作業者の頭部付近のスペースを広く確保することができて、乗降時においてもライトと作業者の頭部とがぶつかることを防止することができた。
さらに、作業を行う作業スペースの方向に応じて適宜照射方向を変化させることができ、あらゆる作業に対応することができるようになった。
また、ライトは高位置に配設されたキャノピーに取り付けられているので、作業スペースを広範囲に照射することができることとなった。
【発明を実施するための最良の形態】
【０００６】
次に、本発明の実施の形態を、図面に基づいて説明する。
図１は本発明の超小旋回型作業車を示す側面図、図２は同じく正面図、図３は同じく背面図、図４は同じく平面図、図５はキャノピーの支柱に沿って配設した排気管を示す側面図、図６は同じく平面図、図７はキャノピーに取り付けたライトを示す正面図、図８は同じく側面図、図９は運転席前方での側溝掘作業時におけるライトの照射状態を示す図である。
【０００７】
本発明の超小旋回型作業車の構成について説明する。
図１乃至図４において、左右一対のクローラ走行装置２を装備した走行装置１の上部に、旋回可能に旋回台４を取り付け、該旋回台４上部の一側方には運転席６を配設して、該運転席６の上方にキャノピー１５を配設している。そして、運転席６、キャノピー１５、び、操作レバー７等で運転部９を構成し、該運転部９横側方にバックホウ装置５を配置している。運転部９の前方には燃料タンク６２を配設し、該燃料タンク６２の給油口６２ａが燃料タンク６２の上方に配置されている。前記走行装置１の、例えば、後端部には、排土板３を装着している。
【０００８】
前記キャノピー１５の前端部には、夜間や暗い場所等で作業を行う際に作業スペースを照らすための、ライト２３が設けられており、該ライト２３は照射方向を上下左右に調節可能に取付られている。そして、ライト２３はキャノピー１５下面である天井面１５ｂに取り付けられており、キャノピー１５の天井面１５ｂはライト取付部１５ｃが他部よりも高位置となるように形成して、ライト２３が天井面１５ｂよりもあまり下方へ突出しないようにしている。また、超小旋回型作業車は、超小旋回格納状態において、バックホウ装置５の全体が旋回台４の旋回径内に格納できるように構成するとともに、バケット１４と運転部９とが干渉しないように構成している。
【０００９】
前記燃料タンク６２は運転部９の前方における旋回台４内に設置され、該燃料タンク６２の上方に給油口６２ａを配置している。該給油口６２ａは外部に突出しており、略上方へ向いて開口している。そして、給油口６２ａの上下高さは、例えば、運転席６への乗降動作を補助するために、作業者が乗降時に握る補助アーム２５の下半部と略同じ高さとなるような低い位置に設定して、給油を行う際に作業者が地面に立って安定した状態で給油できるようにしている。給油口６２ａをこのような低い位置に配置することにより、作業者が地面に立って安定した状態で確実に給油することができ、また、給油開始前や給油途中に燃料油が入った給油タンクを一旦運転部のステップ上に置くこともできるので、給油時の作業性を向上することができる。また、給油口６２ａは略上方へ向かって開口しているので、専用の給油具を用いなくても、給油する燃料油をこぼさず確実に給油することができ、作業性を向上することができる。
【００１０】
前記バックホウ装置５は、旋回台４に上下回動自在に取り付けた第一ブーム１０と、該第一ブーム１０の先端部に左右方向へ回動自在に取り付けた第二ブーム１１と、該第二ブーム１１に左右方向へ回動可能に取り付けられた第三ブーム１２と、該第三ブーム１２に上下方向に回動可能に取り付けられたアーム１３と、該アーム１３の先端に取り付けられた作業用アタッチメントであるバケット１４とを有し、第二ブーム１１の左右方向への回動によりアーム１３及びバケット１４を左右方向へオフセット可能に構成している。
【００１１】
そして、第一ブーム１０と旋回台４との間にブームシリンダ２９を介装して、該ブームシリンダ２９の伸縮により第一ブーム１０を上下回動可能とし、第三ブーム１２とアーム１３との間にアームシリンダ１７を介装して、該アームシリンダ１４の伸縮によりアーム１３を上下回動可能とし、アーム１３とバケット１４との間にバケットシリンダ４８を介装して、該バケットシリンダ４８の伸縮によりバケット４８を上下回動可能としている。図１における軌跡６６は、ブームシリンダ２９、アームシリンダ１７、及び、バケットシリンダ４８等の伸縮に伴ってバケット１４の先端が通過する軌跡であり、軌跡６６の全範囲において、バケット１４と運転部９とが干渉しないように構成している。
【００１２】
第二ブーム１１は、その下端部で第一ブーム１０の上端部と左右回動自在に連結され、該第二ブーム１１の上端部は第三ブーム１２を左右回動自在に連結しており、第二ブーム１１と第一ブーム１０との間にはオフセットシリンダ３１が介装されている。さらに、第一ブーム１０と第三ブーム１２との間には連結ロッド３０が架設され、該連結ロッド３０の両端部は、第一ブーム１０及び第三ブーム１２にそれぞれ枢着されて、該連結ロッド３０、第一ブーム１０、第二ブーム１１、及び、第三ブーム１２により平行四連リンク機構を構成している。そして、オフセットシリンダ３１を伸縮させることで、バケット１４が第一ブーム１０に対して偏心して左右方向にオフセットされるが、この場合、平行四連リンク機構により、正面視又は後面視における第一ブーム１０と、第三ブーム１２、アーム１３、及び、バケット１４との角度は変化せずに、平行状態を保ったままオフセットされる。
【００１３】
また、図３に示すように、運転部９の後方におけるボンネット２１内にはエンジン２６が配設され、該エンジン２６の上方にはボンネット２１外部にマフラー１８を配置して、該マフラー１８をマフラーカバー１８ａにて覆っている。そして、マフラー１８から排気を外部へ排出するための排気管１６が、マフラー１８から上方へ向かって立設されており、排気管１６先端部の尾管１６ａはキャノピー１５の上面よりも上方の位置まで延設されている。
【００１４】
また、排気管１６はキャノピー１５を支持している支柱１５ａに沿って配設されており、該排気管１６の外周部は支柱１５ａ及び排気管カバー２２によって覆われている。図５、図６に示すように、支柱１５ａは、平面視において排気管１６の配設方向に開放された略コ字状に形成され、該支柱１５ａの三側面により形成された空間内に排気管１６を収納している。そして、排気管１６の支柱１５ａ配設側とは反対側には、排気管カバー２２を配設して該排気管１６を覆っている。排気管１６と、該排気管１６の外周部を覆う支柱１５ａ及び排気管カバー２２とは、ブラケット１６ｂ・１６ｂによって一定の空間を確保しながら連結固定されており、排気管１６の熱が支柱１５ａ及び排気管カバー２２に直接伝達しないように構成している。
【００１５】
排気管１６の先端部に取付られている尾管１６ａは、略側方又は略上側方に開口しており、排気が略側方又は略上側方に向かって排出されるように構成している。また、尾管１６ａは水平方向に回動可能に取付られており、周囲の環境に合わせて排気の排出方向を適宜変更することができるようにしている。
【００１６】
このように、マフラー１８をボンネット２１外部に配設することにより、ボンネット２１に内蔵されているラジエータやオイルクーラ等の冷却風が、マフラー１８の熱によって暖められることが防止でき、冷却風による冷却効果を向上することができる。また、排気管１６の尾管１６ａをキャノピー１５の上面より上方に配置したことにより、排気が超小旋回型作業車周囲で作業を行っている作業者にかかることがなく、該作業者は快適に作業を行うことができて作業効率を向上させることができる。さらに、作業機周囲の通行人や草木等に排気がかかることも防止できるので、通行人を不快にしたり、草木を傷めることもない。そして、キャノピー１５の支柱１５ａを平面視略コ字状に形成し、排気管１６を該支柱１５ａに沿って配設するとともに、該支柱１５ａ内に形成された空間内に収納することにより、排気管１６の配設による占有スペースを減少することができ、該排気管１６によって運転部９で作業を行う作業者の視界を遮ることが防止でき、作業性及び安全性の向上を図ることができる。また、排気管１６の外周部を覆う排気管カバー２２の一部を支柱１５ａで代用することとなるので、機体の軽量化やコストダウンを図ることができる。
【００１７】
図１、図２に示すライト２３は、前述の如く、キャノピー１５の前端部に取り付けられて、夜間や暗い場所等で作業を行う際に作業スペースを照らして作業を行い易くしている。図７、図８に示すように、ライト２３はキャノピー１５における天井面１５ｂの取付部１５ｃに取り付けられており、該取付部１５ｃは他の天井面１５ｂに比べて高位置に位置するように形成されている。また、ライト２３はライトブラケット２４を介して取付部１５ｃに取り付けられており、ライト２３はボルト２５・２５によりライトブラケット２４へ上下回動可能に取り付けられて、ライトブラケット２４は取付部１５ｃへボルト２６により左右回動可能に取り付けられている。これにより、ライト２３は取付部１５ｃに対して上下左右に回動可能に取り付けられることとなり、該ライト２３の照射方向を上下左右に調整することが可能となっている。
【００１８】
このように、ライト２３を運転席６上方に位置するキャノピー１５の前端部に取り付けることにより、夜間や暗い場所等で作業を行う際に作業スペースを照らすことができるが、図９に示すように、運転席６の前方での側溝掘作業を行う際にも溝の底部までライト２３により照らすことができ、側溝掘作業の作業効率を向上することができる。また、キャノピー１５の天井面１５ｂはライト２３の取付部１５ｃが他部よりも高位置となるように形成しているので、ライト２３が天井面１５ｂよりもあまり下方に突出することがなく、作業者の頭部付近のスペースを広く確保することができて、乗降時においてもライト２３と作業者の頭部とがぶつかることを防止することができる。さらに、ライト２３は照射方向を上下左右に調節可能に構成しているので、作業を行う作業スペースの方向に応じて適宜照射方向を変化させることができ、あらゆる作業に対応することができる。また、ライト２３は高位置に配設されたキャノピー１５に取り付けられているので、作業スペースを広範囲に照射することができる。
【図面の簡単な説明】
【００１９】
【図１】本発明の超小旋回型作業車を示す側面図である。
【図２】同じく正面図である。
【図３】同じく背面図である。
【図４】同じく平面である。
【図５】キャノピーの支柱に沿って配設した排気管を示す側面図である。
【図６】同じく平面図である。
【図７】キャノピーに取り付けたライトを示す正面図である。
【図８】同じく側面図である。
【図９】運転席前方での側溝掘作業時におけるライトの照射状態を示す図である。
【符号の説明】
【００２０】
５  作業機
６  運転席
９  運転部
１５  キャノピー
１５ａ  支柱
１５ｂ  天井面
１５ｃ  取付部
１６  排気管
１６ａ  尾管
１８  マフラー
２１  ボンネット
２２  排気管カバー
２３  ライト
６２  燃料タンク
６２ａ  給油口
【図１】
2006322315.tif 000003
【図２】
2006322315.tif 000004
【図３】
2006322315.tif 000005
【図４】
2006322315.tif 000006
【図５】
2006322315.tif 000007
【図６】
2006322315.tif 000008
【図７】
2006322315.tif 000009
【図８】
2006322315.tif 000010
【図９】
2006322315.tif 000011